【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
無線ネットワーク制御装置によって、ｅＮｏｄｅＢを動作させる方法であって、
第１の無線アクセス技術（ＲＡＴ）の無線ネットワーク制御装置によって、ＲＡＴ間セルラ通信容量を増加させると決定するステップと、
ＲＡＴ間セルラ通信容量を増加させるとの前記決定に基づいて、休止状態にある第２のＲＡＴの第１のｅＮｏｄｅＢに、前記第２のＲＡＴの前記第１のｅＮｏｄｅＢの第１の活性化のための第１の指示を送信するステップであって、前記第１の指示は、前記第１の活性化の期間の間の時間間隔を含み、前記第１のｅＮｏｄｅＢは、前記無線ネットワーク制御装置によってカバーされるエリアをサービスし、前記第１の指示は、前記第２のＲＡＴの前記第１のｅＮｏｄｅＢを前記時間間隔の間に活性化させる、ステップと、
前記第２のＲＡＴの前記第１のｅＮｏｄｅＢの第２の活性化を開始すると決定するステップであって、前記第２のＲＡＴの前記第１のｅＮｏｄｅＢの前記第２の活性化は、前記第１の活性化の前記期間によって制限されない、ステップと、
前記第２のＲＡＴの前記第１のｅＮｏｄｅＢに、前記第２の活性化のための第２の指示を送信するステップであって、前記第２の指示は、前記第２のＲＡＴの前記第１のｅＮｏｄｅＢを活性化させる、ステップと
を備えたことを特徴とする方法。
【請求項２】
少なくとも１つの無線送信／受信ユニット（ＷＴＲＵ）から、前記第２のＲＡＴの前記第１のｅＮｏｄｅＢとの通信容量のインジケーションを受信するステップであって、前記第２のＲＡＴの前記第１のｅＮｏｄｅＢの前記第２の活性化を開始すると決定する前記ステップは、少なくとも前記インジケーションに基づいている、ステップをさらに備えたことを特徴とする請求項１に記載の方法。
【請求項３】
ＲＡＴ間セルラ通信容量を増加させるとの前記決定に基づいて、休止状態にある前記第２のＲＡＴの第２のｅＮｏｄｅＢに、前記時間間隔の間の前記第２のＲＡＴの前記第２のｅＮｏｄｅＢの第１の活性化のための第３の指示を送信するステップであって、前記第２のｅＮｏｄｅＢは、前記無線ネットワーク制御装置によってカバーされるエリアをサービスし、前記第３の指示は、前記第２のＲＡＴの前記第２のｅＮｏｄｅＢを前記時間間隔の間に活性化させる、ステップと、
前記第２のＲＡＴの前記第２のｅＮｏｄｅＢの第２の活性化を開始しないと決定するステップと
をさらに備えたことを特徴とする請求項１に記載の方法。
【請求項４】
少なくとも１つの無線送信／受信ユニット（ＷＴＲＵ）から、前記第２のＲＡＴの前記第２のｅＮｏｄｅＢとの通信容量の不足のインジケーションを受信するステップであって、前記第２のＲＡＴの前記第２のｅＮｏｄｅＢの第２の活性化を開始しないと決定する前記ステップは、少なくとも前記インジケーションに基づいている、ステップをさらに備えたことを特徴とする請求項３に記載の方法。
【請求項５】
前記第１の指示は、プロービング間隔の間、前記第２のＲＡＴの前記第１のｅＮｏｄｅＢが前記時間間隔の間に活性化することを示していることを特徴とする請求項１に記載の方法。
【請求項６】
前記第１の指示は、前記時間間隔の間のいずれかのときに、前記第２のＲＡＴの前記第１のｅＮｏｄｅＢが第１の基準信号を送信することを示していることを特徴とする請求項１に記載の方法。
【請求項７】
少なくとも１つの無線送信／受信ユニット（ＷＴＲＵ）から、前記第１の基準信号の測定値を受信するステップをさらに備えたことを特徴とする請求項６に記載の方法。
【請求項８】
前記第２のＲＡＴの前記第１のｅＮｏｄｅＢの前記第２の活性化を開始すると決定する前記ステップは、少なくとも前記測定値に基づいていることを特徴とする請求項７に記載の方法。
【請求項９】
第１の無線アクセス技術（ＲＡＴ）の無線ネットワーク制御装置であって、
ＲＡＴ間セルラ通信容量を増加させると決定するように構成されたプロセッサと、
ＲＡＴ間セルラ通信容量を増加させるとの前記決定に基づいて、休止状態にある第２のＲＡＴの第１のｅＮｏｄｅＢに、前記第２のＲＡＴの前記第１のｅＮｏｄｅＢの第１の活性化のための第１の指示を送信するように構成された送信機であって、前記第１の指示は、前記第１の活性化の期間の間の時間間隔を含み、前記第１のｅＮｏｄｅＢは、前記無線ネットワーク制御装置によってカバーされるエリアをサービスし、前記第１の指示は、前記第２のＲＡＴの前記第１のｅＮｏｄｅＢを前記時間間隔の間に活性化させる、送信機と
を備え、
前記プロセッサは、前記第２のＲＡＴの前記第１のｅＮｏｄｅＢの第２の活性化を開始すると決定するようにさらに構成され、前記第２のＲＡＴの前記第１のｅＮｏｄｅＢの前記第２の活性化は、前記第１の活性化の前記期間によって制限されず、
前記送信機は、前記第２のＲＡＴの前記第１のｅＮｏｄｅＢに、前記第２の活性化のための第２の指示を送信するようにさらに構成され、前記第２の指示は、前記第２のＲＡＴの前記第１のｅＮｏｄｅＢを活性化させる
ことを特徴とする無線ネットワーク制御装置。
【請求項１０】
少なくとも１つの無線送信／受信ユニット（ＷＴＲＵ）から、前記第２のＲＡＴの前記第１のｅＮｏｄｅＢとの通信容量のインジケーションを受信するように構成された受信機をさらに備え、前記プロセッサは、前記第２のＲＡＴの前記第１のｅＮｏｄｅＢを前記第２の活性化を開始するとの前記決定は、少なくとも前記インジケーションに基づくようにさらに構成されていることを特徴とする請求項９に記載の無線ネットワーク制御装置。
【請求項１１】
前記送信機は、ＲＡＴ間セルラ通信容量を増加させるとの前記決定に基づいて、休止状態にある前記第２のＲＡＴの第２のｅＮｏｄｅＢに、前記時間間隔の間の前記第２のＲＡＴの前記第２のｅＮｏｄｅＢの第１の活性化のための第３の指示を送信するようにさらに構成され、前記第２のｅＮｏｄｅＢは、前記無線ネットワーク制御装置によってカバーされるエリアをサービスし、前記第３の指示は、前記第２のＲＡＴの前記第２のｅＮｏｄｅＢを前記時間間隔の間に活性化させ、
前記プロセッサは、前記第２のＲＡＴの前記第２のｅＮｏｄｅＢの第２の活性化を開始しないと決定するようにさらに構成されている
ことを特徴とする請求項９に記載の無線ネットワーク制御装置。
【請求項１２】
少なくとも１つの無線送信／受信ユニット（ＷＴＲＵ）から、前記第２のＲＡＴの前記第２のｅＮｏｄｅＢとの通信容量の不足のインジケーションを受信するように構成された受信機をさらに備え、前記第２のＲＡＴの前記第２のｅＮｏｄｅＢの第２の活性化を開始しないとの前記決定は、少なくとも前記インジケーションに基づいている
ことを特徴とする請求項１１に記載の無線ネットワーク制御装置。
【請求項１３】
前記送信機は、前記第１の指示が、プロービング間隔の間、前記第２のＲＡＴの前記第１のｅＮｏｄｅＢが前記時間間隔の間に活性化することを示すようにさらに構成されていることを特徴とする請求項９に記載の無線ネットワーク制御装置。
【請求項１４】
前記送信機は、前記第１の指示が、前記時間間隔の間のいずれかのときに、前記第２のＲＡＴの前記第１のｅＮｏｄｅＢが第１の基準信号を送信することを示すようにさらに構成されていることを特徴とする請求項９に記載の無線ネットワーク制御装置。
【請求項１５】
少なくとも１つの無線送信／受信ユニット（ＷＴＲＵ）から、前記第１の基準信号の測定値を受信するように構成された受信機をさらに備えたことを特徴とする請求項１４に記載の無線ネットワーク制御装置。
【請求項１６】
前記プロセッサは、前記第２のＲＡＴの前記第１のｅＮｏｄｅＢの前記第２の活性化を開始するとの前記決定が、少なくとも前記測定値に基づくようにさらに構成されていることを特徴とする請求項１５に記載の無線ネットワーク制御装置。